(57)【要約】【課題】この発明は、コンバージェンスずれに基づく、液晶プロジェクタ部品の不良率を改善することができる液晶プロジェクタにおけるコンバージェンスずれ補正方法を提供することを目的とする。【解決手段】ＲＧＢの各液晶パネルに書き込まれるＲ、Ｇ、Ｂデータと各液晶パネルのＲ、Ｇ、Ｂデータ書き込み位置との相対関係を、コンバージェンスずれに応じてＲ、Ｇ、Ｂデータ毎に制御することによって、コンバージェンスずれを補正する。【選択図】  図１
2004229195.tif 000002
【特許請求の範囲】
【請求項１】
ＲＧＢの各液晶パネルに書き込まれるＲ、Ｇ、Ｂデータと各液晶パネルのＲ、Ｇ、Ｂデータ書き込み位置との相対関係を、コンバージェンスずれに応じてＲ、Ｇ、Ｂデータ毎に制御することによって、コンバージェンスずれを補正する液晶プロジェクタにおけるコンバージェンスずれ補正方法。
【請求項２】
メモリに格納されているスケーリング処理されたＲ、Ｇ、Ｂデータを読み出す際に、コンバージェンスずれに応じて読み出すデータのタイミングを制御することにより、ＲＧＢの各液晶パネルに書き込まれるＲ、Ｇ、Ｂデータと各液晶パネルのＲ、Ｇ、Ｂデータ書き込み位置との相対関係を、Ｒ、Ｇ、Ｂデータ毎に制御するようにした請求項１に記載の液晶プロジェクタにおけるコンバージェンスずれ補正方法。
【請求項３】
ＲＧＢの各液晶パネルに書き込まれるＲ、Ｇ、Ｂデータと各液晶パネルのＲ、Ｇ、Ｂデータ書き込み位置との相対関係を、コンバージェンスずれに応じてＲ、Ｇ、Ｂデータ毎に制御することによって、コンバージェンスずれを補正する補正手段を備えている液晶プロジェクタ。
【請求項４】
補正手段は、メモリに格納されているスケーリング処理されたＲ、Ｇ、Ｂデータを読み出す際に、コンバージェンスずれに応じて読み出すデータのタイミングを制御することにより、ＲＧＢの各液晶パネルに書き込まれるＲ、Ｇ、Ｂデータと各液晶パネルのＲ、Ｇ、Ｂデータ書き込み位置との相対関係を、Ｒ、Ｇ、Ｂデータ毎に制御するものである請求項３に記載の液晶プロジェクタ。
【発明の詳細な説明】
【０００１】
【発明の属する技術分野】
この発明は、液晶プロジェクタにおけるコンバージェンスずれ補正方法および液晶プロジェクタに関する。
【０００２】
【従来の技術】
図１に示すように、液晶プロジェクタでは、プリズムレンズ１の異なる３面に、赤色光用液晶パネル２、緑色光用液晶パネル３および青色光用液晶パネル４が貼り付けられている。各液晶パネル２、３、４によって変調された変調光は、プリズムレンズ１によって合成されてカラー画像光となり、図示しない投写レンズを介してスクリーン上に投影される。
【０００３】
このように、各液晶パネル２、３、４はプリズムレンズ１の異なる３面に貼り付けられているが、現状では各液晶パネル２、３、４をプリズムレンズ１に貼り付けるときに微量のずれが発生し、これにより、例えば図２に示すように、スクリーン上に投影される画像において、ＲＧＢ各色に関して画像にずれが発生する。このようなずれは、一般的に、”コンバージェンス（ｃｏｎｖｅｒｇｅｎｃｅ  ）ずれ”  または”Ｃｇ  ずれ”  と呼ばれている。現状では、ｃｏｎｖｅｒｇｅｎｃｅ  ずれが許容範囲を越えているものは不良とみなされており、歩留りが良くない状況にある。
【０００４】
【特許文献】特開平６−１６５２２４号公報
【０００５】
【発明が解決しようとする課題】
この発明は、コンバージェンスずれに基づく、液晶プロジェクタ部品の不良率を改善することができる液晶プロジェクタにおけるコンバージェンスずれ補正方法および液晶プロジェクタを提供することを目的とする。
【０００６】
【課題を解決するための手段】
請求項１に記載の発明は、ＲＧＢの各液晶パネルに書き込まれるＲ、Ｇ、Ｂデータと各液晶パネルのＲ、Ｇ、Ｂデータ書き込み位置との相対関係を、コンバージェンスずれに応じてＲ、Ｇ、Ｂデータ毎に制御することによって、コンバージェンスずれを補正することを特徴とする。
【０００７】
請求項２に記載の発明は、請求項２に記載の液晶プロジェクタにおけるコンバージェンスずれ補正方法において、メモリに格納されているスケーリング処理されたＲ、Ｇ、Ｂデータを読み出す際に、コンバージェンスずれに応じて読み出すデータのタイミングを制御することにより、ＲＧＢの各液晶パネルに書き込まれるＲ、Ｇ、Ｂデータと各液晶パネルのＲ、Ｇ、Ｂデータ書き込み位置との相対関係を、Ｒ、Ｇ、Ｂデータ毎に制御するようにしたことを特徴とする。
【０００８】
請求項３に記載の発明は、ＲＧＢの各液晶パネルに書き込まれるＲ、Ｇ、Ｂデータと各液晶パネルのＲ、Ｇ、Ｂデータ書き込み位置との相対関係を、コンバージェンスずれに応じてＲ、Ｇ、Ｂデータ毎に制御することによって、コンバージェンスずれを補正する補正手段を備えていることを特徴とする。
【０００９】
請求項４に記載の発明は、請求項３に記載の液晶プロジェクタにおいて、補正手段は、メモリに格納されているスケーリング処理されたＲ、Ｇ、Ｂデータを読み出す際に、コンバージェンスずれに応じて読み出すデータのタイミングを制御することにより、ＲＧＢの各液晶パネルに書き込まれるＲ、Ｇ、Ｂデータと各液晶パネルのＲ、Ｇ、Ｂデータ書き込み位置との相対関係を、Ｒ、Ｇ、Ｂデータ毎に制御するものであることを特徴とする。
【００１０】
【発明の実施の形態】
以下、図３〜図６を参照して、この発明の実施の形態について説明する。
【００１１】
図３は、液晶プロジェクタの信号処理回路を示している。
【００１２】
入力信号（ＲＧＢ信号）は、ＡＤコンバータ１１によってデジタルのＲＧＢデータに変換せしめられる。デジタルのＲＧＢデータは、スケーラ１２に送られる。スケーラ１２は、ＡＤコンバータ１１から入力されるＲＧＢデータを第１のフレームメモリ（ＳＤＲＡＭ）１３に格納し、走査線変換等の処理（以下、スケーリング処理ということにする）を行って第２のフレームメモリ（ＳＤＲＡＭ）１４に格納する。そして、スケーラ１２は、スケーリング処理されたデータを第２のフレームメモリ１４から読み出して、γ補正回路１５に送る。γ補正回路１５は、スケーラ１２から送られてきたＲＧＢデータに対してγ補正を行った後、ＲＧＢの各液晶パネルに対応するデータを送る。
【００１３】
この実施の形態では、コンバージェンスずれを、光学系で補正を行うのではなく、ＲＧＢの各液晶パネルに書き込まれるＲ、Ｇ、Ｂデータと各液晶パネルのＲ、Ｇ、Ｂデータ書き込み位置との相対関係を、コンバージェンスずれに応じてＲ、Ｇ、Ｂデータ毎に制御することによって補正する。
【００１４】
より具体的には、第２のフレームメモリ１４に格納されているスケーリング処理されたＲ、Ｇ、Ｂデータを読み出す際に、コンバージェンスずれに応じて読み出すデータのタイミングを制御することにより、ＲＧＢの各液晶パネルに書き込まれるＲ、Ｇ、Ｂデータと各液晶パネルのＲ、Ｇ、Ｂデータ書き込み位置との相対関係をＲ、Ｇ、Ｂデータ毎に制御し、これにより、コンバージェンスずれを補正する。以下、コンバージェンスずれの補正方法について説明する。
【００１５】
簡単な例として、各液晶パネルが１０２４×７６８の大きさである場合について説明する。スケーラ１２によってスケーリング処理されて第２のフレームメモリ１４に格納されている映像データ（Ｒ，Ｇ，Ｂ）の解像度も１０２４×７６８であるとする。
【００１６】
図４は、第２のフレームメモリ１４に格納されたスケーリング処理後の映像データを示している。Ｒ（Ｘ，Ｙ）は、１フレーム分のＲデータのうち、左からＸドット目、上からＹドット目のＲデータを示している。Ｇ（Ｘ，Ｙ）は、１フレーム分のＧデータのうち、の左からＸドット目、上からＹドット目のＧデータを示している。Ｂ（Ｘ，Ｙ）は、１フレーム分のＢデータのうち、の左からＸドット目、上からＹドット目のＢデータを示している。
【００１７】
図５は、Ｒ、Ｇ、Ｂの各液晶パネルにおける画像書き込み位置を示している。なお、図５においては、液晶パネルの背面側から見た書き込み位置を示している。
【００１８】
例えば、Ｒの液晶パネルである場合には、図５のＱ（１，１）〜Ｑ（（１０２４，７６８）に、１フレーム分のＲデータ｛Ｒ（１，１）〜Ｒ（１０２４，７６８）｝が書き込まれる。
【００１９】
図６は、１フレーム分のＲデータ｛Ｒ（１，１）〜Ｒ（１０２４，７６８）｝のスクリーン上での投影位置を示している。つまり、１フレーム分のＲデータ｛Ｒ（１，１）〜Ｒ（１０２４，７６８）｝は、スクリーン上では、図６の表示位置Ｐ（１，１）〜Ｐ（（１０２４，７６８）に表示される。
【００２０】
この実施の形態では、コンバージェンスずれは、Ｒの液晶パネルの位置を基準位置とした他の色の液晶パネルのずれであるとする。コンバージェンスずれが発生していない場合には、図４に示すＲ（Ｘ，Ｙ）、Ｇ（Ｘ，Ｙ）およびＢ（Ｘ，Ｙ）は、図６のＰ（Ｘ，Ｙ）に表示される。例えば、Ｒ（１，１）、Ｇ（１，１）およびＢ（１，１）は、図６のＰ（１，１）に表示される。
【００２１】
しかしながら、Ｒ、Ｇ、Ｂの各液晶パネルをプリズムレンズに貼り付けたときにコンバージェンスずれが発生している場合、例えば、Ｒの液晶パネルに対して、Ｂの液晶パネルはずれていないが、Ｇの液晶パネルが下側に２ドットずれているような場合には、Ｒ（Ｘ，Ｙ）およびＢ（Ｘ，Ｙ）は、Ｐ（Ｘ，Ｙ）に表示されるが、Ｇ（Ｘ，Ｙ）はＰ（Ｘ，Ｙ＋２）に表示される。例えば、Ｒ（１，１）およびＢ（１，１）は図６のＰ（１，１）に表示されるが、Ｇ（１，１）は図６のＰ（１，３）に表示される。
【００２２】
そこで、Ｒの液晶パネルに対して、Ｂの液晶パネルはずれていないが、Ｇの液晶パネルが下側に２ドットずれているような場合には、第２のフレームメモリ１４に格納されているスケーリング処理後の映像データ（Ｒ，Ｇ，Ｂ）を読み出す際に、Ｇデータに対してのみオフセットをかける。この場合には、Ｒの液晶パネル内のＱ（Ｘ，Ｙ）に書き込むべきＲデータを読み出すタイミングではＲ（Ｘ，Ｙ）を、Ｂの液晶パネル内のＱ（Ｘ，Ｙ）に書き込むべきＢデータを読み出すタイミングではＢ（Ｘ，Ｙ）を読み出すが、Ｇの液晶パネル内のＱ（Ｘ，Ｙ）に対応するＧデータを読み出すタイミングにおいては、Ｇ（Ｘ，Ｙ＋２）を読み出す。
【００２３】
このようにすると、Ｒの液晶パネル内のＱ（Ｘ，Ｙ）にＲ（Ｘ，Ｙ）が書き込まれるとともにＢの液晶パネル内のＱ（Ｘ，Ｙ）にＢ（Ｘ，Ｙ）が書き込まれるが、Ｇの液晶パネル内のＱ（Ｘ，Ｙ）にはＧ（Ｘ，Ｙ＋２）が書き込まれる。
【００２４】
Ｒの液晶パネル内のＱ（Ｘ，Ｙ）に書き込まれたＲデータおよびＢの液晶パネル内のＱ（Ｘ，Ｙ）に書き込まれたＢデータはスクリーン上ではＰ（Ｘ，Ｙ）に表示されるが、Ｇの液晶パネル内のＱ（Ｘ，Ｙ）に書き込まれたＧデータはスクリーン上ではＰ（Ｘ，Ｙ）ではなくＰ（Ｘ，Ｙ＋２）に表示されるため、Ｒ（Ｘ，Ｙ）、Ｂ（Ｘ，Ｙ）はＰ（Ｘ，Ｙ）に表示され、Ｇ（Ｘ，Ｙ＋２）は本来それが表示されるべき位置であるＰ（Ｘ，Ｙ＋２）に表示されることになる。この結果、コンバージェンスずれが補正されることになる。
【００２５】
なお、液晶パネルが物理的に１０２４×７６８分のドットしか有していない場合、上述したようにオフセットを付加すると、そのオフセット分だけ画像が映らなくなってしまう。しかしながら、現状の液晶パネルは、１０２４×７６８などの規定の出力解像度のサイズより、約２〜３ドット程度大きなサイズ、つまり１０２７×７７１ドットのような少し大きめのサイズのものが一般的であるため、オフセットを付加したとしても画像が映らなくなるといったことは回避される。
【００２６】
上記は、Ｒの液晶パネルに対して、他の色の液晶パネルが下側にずれている場合について説明したが、Ｒの液晶パネルに対して、他の色の液晶パネルが上側にずれている場合、右側または左側ずれている場合、ならびに上下方向および左右方向にずれている場合にも、この発明を適用することができる。
【００２７】
例えば、Ｒの液晶パネルに対するＧの液晶パネルの上下方向のずれ量を、下方向にずれている場合を正方向としてΔＹとし、Ｒの液晶パネルに対するＧの液晶パネルの左右方向のずれ量を右方向にずれている場合を正方向としてΔＸとして表すと、第２のフレームメモリ１４からＧの液晶パネルのＱ（Ｘ，Ｙ）に書き込むべきデータを読み出すタイミングにおいては、Ｇ（Ｘ＋ΔＸ，Ｙ＋ΔＹ）を読み出せばよい。
【００２８】
なお、Ｒの液晶パネルに対する他の色の液晶パネルのずれ方向およびずれ量の測定は、コンバージェンスずれを検出するためのテストパターンを液晶プロジェクタに入力してスクリーン上にテストパターンを表示させ、観察者が目視によって、Ｒの液晶パネルに対する他の色の液晶パネルのずれ方向およびずれ量を測定することによって行われる。そして、この測定結果に基づいて、上記オフセットが算出されて、設定される。
【００２９】
【発明の効果】
この発明によれば、コンバージェンスずれに基づく、液晶プロジェクタ部品の不良率を改善することができるようになる。
【図面の簡単な説明】
【図１】プリズムレンズの異なる３面に、赤色光用液晶パネル、緑色光用液晶パネルおよび青色光用液晶パネルが貼り付けられており、各液晶パネルによって変調された変調光がプリズムレンズによって合成されてカラー画像光となることを示す模式図である。
【図２】コンバージェンスずれを示す模式図である。
【図３】液晶プロジェクタの信号処理回路を示すブロック図である。
【図４】第２のフレームメモリ１４に格納されたスケーリング処理後の映像データを示す模式図である。
【図５】Ｒ、Ｇ、Ｂの各液晶パネルにおける画像書き込み位置を示す模式図である。
【図６】１フレーム分のＲデータが、スクリーン上に投影される位置を示す模式図である。
【符号の説明】
１１  ＡＤコンバータ
１２  スケーラ
１３、１４  フレームメモリ
１５  γ補正回路
【図１】
2004229195.tif 000003
【図２】
2004229195.tif 000004
【図３】
2004229195.tif 000005
【図４】
2004229195.tif 000006
【図５】
2004229195.tif 000007
【図６】
2004229195.tif 000008